(57)【要約】      （修正有）【課題】設置場所やコストの増大を抑えつつ手作業での散薬秤量業務の負担軽減や時間短縮に資する散薬秤量システムを提供する。【解決手段】散薬秤量システム１０は、人手秤量で行うために情報処理装置２０＋３１と画面表示器３３と第１情報読取器３６と秤量装置３７と出力装置３８とを備え、人手秤量用の第１散薬が調剤対象にされると、第１調剤用情報２３に基づいて対応する調剤指示情報３４を画面表示器に表示させ、第２情報読取器４３と計量部４４，４５とを備えた計量装置４０を付設して、自動計量可能な第２散薬が調剤対象にされると第２調剤用情報２４に基づいて対応する調剤指示情報を画面表示器に表示させるとともに第２情報読取器の読取に応じて計量装置を動作させる。【選択図】図１
2020124441.tif 000002
【特許請求の範囲】
【請求項１】
第１散薬収容器に付された第１散薬識別情報を読み取るのに用いられる第１情報読取器と、前記第１散薬収容器から取り出された散薬を秤量するのに用いられる秤量装置と、秤量を含む調剤情報を表示するのに用いられる画面表示器と、調剤対象になりうる各種の散薬について前記第１散薬識別情報に対応した第１散薬に係る調剤用情報を保持している情報処理装置とを備えており、前記情報処理装置が、処方データに基づいて前記第１散薬が調剤対象にされると前記第１散薬に係る前記調剤用情報に基づいて対応する調剤指示情報を前記画面表示器に表示するようになっている散薬秤量システムにおいて、
第２散薬識別情報を付された第２散薬収容器を着脱しうる容器保持部と、前記容器保持部に前記第２散薬収容器が置かれるとそれに付されている前記第２散薬識別情報を読み取る第２情報読取器と、前記容器保持部に置かれた前記第２散薬収容器から第２散薬を排出させて計量する計量部とを具備した計量装置が設けられ、
前記情報処理装置が、前記第２散薬識別情報に対応した前記第２散薬に係る調剤用情報も保持しており、処方データに基づいて前記第２散薬が調剤対象にされると前記第２散薬に係る前記調剤用情報に基づいて対応する調剤指示情報を前記画面表示器に表示し、前記第２情報読取器にて前記第２散薬識別情報が読み取られると前記計量装置に前記計量部の動作指示を出すようになっている、ことを特徴とする散薬秤量システム。
【請求項２】
前記情報処理装置が、前記第２散薬に係る調剤指示情報を前記画面表示器に表示するときに、前記第２散薬収容器を目視で特定することができる情報も前記画面表示器に表示するようになっていることを特徴とする請求項１記載の散薬秤量システム。
【請求項３】
前記情報処理装置が、前記第２散薬識別情報の読み取り後に前記計量部の動作指示を出すに先だって前記画面表示器に確認を求める表示を行うようになっていることを特徴とする請求項１又は請求項２に記載された散薬秤量システム。
【請求項４】
前記情報処理装置が、前記計量装置に前記計量部の動作指示を出した後に前記計量装置から計量値を取得して前記画面表示器に表示するようになっていることを特徴とする請求項１乃至請求項３の何れかに記載された散薬秤量システム。
【請求項５】
前記情報処理装置が、前記第１情報読取器にて前記第１散薬識別情報が読み取られると前記秤量装置の秤量値を取得して前記第１散薬の調剤済みデータに含めるとともに、前記計量装置に前記計量部の動作指示を出した後に前記計量装置から計量値を取得して前記第２散薬の調剤済みデータに含めるようになっていることを特徴とする請求項１乃至請求項４の何れかに記載された散薬秤量システム。
【請求項６】
前記情報処理装置が、前記画面表示器に表示している前記調剤指示情報のうち前記第２散薬に係るものについて前記計量装置での計量から前記秤量装置での秤量への切替指示を受付可能なものであって前記切替指示を受け付けると前記第１散薬に係る処理と同様の処理を行うようになっていることを特徴とする請求項１乃至請求項５の何れかに記載された散薬秤量システム。
【発明の詳細な説明】
【技術分野】
【０００１】
この発明は、散薬収容器から運搬容器へ移す散薬に係る秤量作業を支援する散薬秤量システムに関する。
【背景技術】
【０００２】
散薬分割装置は、多数のマスを列設したものもあるが、分割数を可変設定しうるターンテーブルを装備したものが使い易く多用されている。
ターンテーブルは、Ｒ円盤などとも呼ばれるが、円環状の上面解放溝が形成されたものであり、上記の円環状溝を循環回転させるようになっている。
その散薬分割装置は、散薬フィーダから散薬を上記の円環状溝へ均等に配分させた後、円環状溝から散薬を分割数に応じて切り出すようになっている。
【０００３】
散薬分包機は、分割された散薬の自動分包まで行うものであり、散薬フィーダや，散薬分割装置，制御装置に加えて包装装置も具備している。そして、所定量の散薬を投入された散薬フィーダから散薬を少量ずつ排出させてから或いは排出させながら散薬分割装置にて散薬を一包分ずつに分割したうえで包装装置にて分包するようになっている。
かかる散薬分包機や散薬分割装置には（以下、単に散薬分包機という）、秤量済み散薬を収容している運搬容器を運搬する容器運搬作業とか運搬容器から散薬フィーダへ散薬を投入する散薬投入作業などを調剤者が行う謂わば人手投入タイプの半自動型と、容器運搬作業や散薬投入作業も機械が行う謂わば機械投入タイプの全自動型とがある。
【０００４】
人手投入タイプの散薬分包機は（例えば特許文献１参照）、散薬フィーダに投入される散薬を秤量する手段を装備していないので、使用に先立って別の所で予め電子天秤などを用いて秤量しながら手作業で散薬収容器から必要量の散薬を取り出し、その秤量済み散薬を収めた運搬容器を散薬分包機の所へ運び、その運搬容器から散薬を散薬分包機の散薬フィーダへ投入する、という一連の作業を終えてからでないと、散薬の分割動作や包装動作を始めることができない。
【０００５】
これに対し、機械投入タイプの散薬分包機は、各種の散薬を収容した多数の散薬収容器を並べて保持する棚等の散薬収容器保持機構と、所要の散薬を該当する散薬収容器から取り出す秤量手段と、秤量済み散薬を散薬フィーダへ投入する散薬投入手段も具備しているので、散薬秤量作業も散薬投入作業も自動で行われる。
この機械投入タイプの散薬分包機には、電子秤りと運搬容器とが多数の散薬収容器の所を移動して所要の散薬を秤量および収集してから散薬フィーダへ投入するものや（例えば特許文献２参照）、多数の散薬収容器を循環移動可能に保持していて所要の散薬の散薬収容器を秤量位置・計量位置に移動させてから散薬を計量しつつ散薬フィーダへ投入するものなどがある（例えば特許文献３参照）。
【０００６】
多数の散薬収容器を循環移動可能に保持していて所要の散薬の散薬収容器を秤量位置・計量位置に移動させてから散薬を計量しつつ運搬容器へ移すようになったものもある（例えば特許文献４参照）。
このような機械投入タイプの散薬分包機は、自動化率が高いので、秤量についても分包についても処理能力が高いうえ、秤量誤差や分包ミスも少ないので、大病院の薬局部門など処方量の多い薬局などに導入されることが多い。
【０００７】
これに対し、人手投入タイプの散薬分包機は、簡素な分だけ小さいうえ安価なので、規模の小さい薬局に導入されることが多い。
そして、この人手投入タイプの散薬分包機については、計量から分包までの調剤作業を容易にすべく、調剤台の中に薬剤分包機を収納しておき、その台上に、多数の散薬収容器を並べておける棚と、散薬計量用の電子天秤と、条件設定用および計量監査用の情報処理装置とを装備するようになったものがある（例えば特許文献５参照）。この調剤装置では、散薬の秤量とフィーダ投入が依然として人手で行われるが、秤量済み散薬を収めた運搬容器を運ぶ作業が、調剤者が手先を動かす程度の軽作業になっている。
【０００８】
また、機械投入タイプの散薬分包機に戻ると、近年は、更なる改良が施されて、秤量済み散薬を分割してから分包するのか分割しないで包装するのかを選択できるようになった散薬分包機や（例えば特許文献６参照）、散薬容器棚と第１散薬放出部と第２散薬放出部と散薬計量部との相互間で散薬収容器を移送できるようになった散薬分包機（例えば特許文献７参照）、排出口の遮蔽部の遮蔽面と遮蔽部の近傍の底面とのなす角度を開時に散薬の崩れない角度以下にすることで散薬のこぼれ防止を図った散薬収容器およびそれを搭載した散薬分包機も開発されている（例えば特許文献８参照）。
【先行技術文献】
【特許文献】
【０００９】
【特許文献１】特開昭６２−２６０６０１号公報
【特許文献２】特開昭５９−０２６４０３号公報
【特許文献３】特開平０７−０８００４３号公報
【特許文献４】特開平１１−１１４０２０号公報
【特許文献５】特開２００２−８５５２３号公報
【特許文献６】特開２０１６−７３５１８号公報
【特許文献７】特許第６４０６７８５号公報
【特許文献８】特許第６４２２６０６号公報
【発明の概要】
【発明が解決しようとする課題】
【００１０】
しかしながら、人手投入タイプの散薬分包機を設置した薬局では、その散薬分包機が散薬分割部にターンテーブルを採用したものであれ他の分割方式のものであれ、機械投入タイプの散薬分包機への設備更新が、設置場所やコスト等の制約から、難しくて、なかなか進まない。そして、調剤者が運搬容器を電子天秤に乗せ置き、調剤者が散薬収容器を手に持って傾けることで、所要の散薬を秤量しながら散薬収容器から運搬容器へ移すという手作業が、依然として行われている。
【００１１】
このため、そのような薬局では、散薬秤量業務に関して、調剤者の負担が重いままであるうえ、作業に掛かる時間も長いままである。
そこで、設置場所やコストの増大を抑えつつ手作業での散薬秤量業務の負担軽減や調剤時間に短縮に資する散薬秤量システムを実現することが技術的な課題となる。
【課題を解決するための手段】
【００１２】
本発明の散薬秤量システムは（解決手段１）、このような課題を解決するために創案されたものであり、
第１散薬収容器に付された第１散薬識別情報を読み取るのに用いられる第１情報読取器と、前記第１散薬収容器から取り出された散薬を秤量するのに用いられる秤量装置と、秤量を含む調剤情報を表示するのに用いられる画面表示器と、調剤対象になりうる各種の散薬について前記第１散薬識別情報に対応した第１散薬に係る調剤用情報を保持している情報処理装置とを備えており、前記情報処理装置が、処方データに基づいて前記第１散薬が調剤対象にされると前記第１散薬に係る前記調剤用情報に基づいて対応する調剤指示情報を前記画面表示器に表示するようになっている散薬秤量システムにおいて、
第２散薬識別情報を付された第２散薬収容器を着脱しうる容器保持部と、前記容器保持部に前記第２散薬収容器が置かれるとそれに付されている前記第２散薬識別情報を読み取る第２情報読取器と、前記容器保持部に置かれた前記第２散薬収容器から第２散薬を排出させて計量する計量部とを具備した計量装置が設けられ、
前記情報処理装置が、前記第２散薬識別情報に対応した前記第２散薬に係る調剤用情報も保持しており、処方データに基づいて前記第２散薬が調剤対象にされると前記第２散薬に係る前記調剤用情報に基づいて対応する調剤指示情報を前記画面表示器に表示し、前記第２情報読取器にて前記第２散薬識別情報が読み取られると前記計量装置に前記計量部の動作指示を出すようになっている、ことを特徴とする。
【００１３】
また、本発明の散薬秤量システムは（解決手段２）、上記解決手段１の散薬秤量システムであって、
前記情報処理装置が、前記第２散薬に係る調剤指示情報を前記画面表示器に表示するときに、前記第２散薬収容器を目視で特定することができる情報も前記画面表示器に表示するようになっていることを特徴とする。
【００１４】
さらに、本発明の散薬秤量システムは（解決手段３）、上記解決手段１，２の散薬秤量システムであって、
前記情報処理装置が、前記第２散薬識別情報の読み取り後に前記計量部の動作指示を出すに先だって前記画面表示器に確認を求める表示を行うようになっていることを特徴とする。
【００１５】
また、本発明の散薬秤量システムは（解決手段４）、上記解決手段１〜３の散薬秤量システムであって、
前記情報処理装置が、前記計量装置に前記計量部の動作指示を出した後に前記計量装置から計量値を取得して前記画面表示器に表示するようになっていることを特徴とする。
【００１６】
また、本発明の散薬秤量システムは（解決手段５）、上記解決手段１〜４の散薬秤量システムであって、
前記情報処理装置が、前記第１情報読取器にて前記第１散薬識別情報が読み取られると前記秤量装置の秤量値を取得して前記第１散薬の調剤済みデータに含めるとともに、前記計量装置に前記計量部の動作指示を出した後に前記計量装置から計量値を取得して前記第２散薬の調剤済みデータに含めるようになっていることを特徴とする。
【００１７】
また、本発明の散薬秤量システムは（解決手段６）、上記解決手段１〜５の散薬秤量システムであって、
前記情報処理装置が、前記画面表示器に表示している前記調剤指示情報のうち前記第２散薬に係るものについて前記計量装置での計量から前記秤量装置での秤量への切替指示を受付可能なものであって前記切替指示を受け付けると前記第１散薬に係る処理と同様の処理を行うようになっていることを特徴とする。
【発明の効果】
【００１８】
このような本発明の散薬秤量システムにあっては（解決手段１）、所定の第１情報読取器と秤量装置と画面表示器と情報処理装置とを備えているので、処方箋情報の総て或いはその一部を含んだ処方データを受けたときに、その調剤対象が人手秤量必須の第１散薬である場合、手作業での秤量に役立つ調剤指示情報等の画面表示がなされるとともに、第１散薬識別情報の読取による第１散薬収容器の確認がなされる。そのため、所要の散薬を秤量しながら散薬収容器から運搬容器へ移すという散薬秤量業務が、調剤者の手作業に依存するものであっても、的確に遂行される。
【００１９】
また、所定の計量装置が設けられていて、その容器保持部に第２散薬収容器が置かれると、その容器に付されている第２散薬識別情報が第２情報読取器にて読み取られるとともに、第２散薬収容器から排出された第２散薬が計量部にて計量されるようにもなっている。そのため、第２散薬収容器に収められている第２散薬については、それが調剤対象にされると、第２散薬識別情報の読取による確認がなされるのに加えて、計量の動作指示が出されることから、第２散薬収容器の容器保持部への着脱操作は別として、主たる計量を自動計量にて迅速かつ的確に行わせることが可能になる。
そして、その自動計量の間は、調剤者が計量作業から解放されるため、他の作業たとえば第１散薬の人手秤量を並行して行うことも可能となる。
【００２０】
さらに、装着済み第２散薬収容器から散薬を排出して計量するところは計量装置にて自動処理されるようにしたが、第２散薬収容器の着脱など他の機能については自動化しないでも済むように情報処理装置等の共用化を図ったことにより、コストアップが抑制される。しかも、比較的小さい計量装置を増設する余地が作業机上面等にあれば、既存の人手投入タイプの散薬分包機を設置済みの薬局等でも、容易に導入することができる。
従って、この発明によれば、設置場所やコストの増大を抑えつつ手作業での散薬秤量業務の負担軽減や調剤時間に短縮に資する散薬秤量システムを実現することができる。
【００２１】
また、本発明の散薬秤量システムにあっては（解決手段２）、第２散薬に係る調剤指示情報の画面表示に際して、第２散薬収容器を目視で特定することができる情報も画面表示されるようにしたことにより、第２散薬収容器が人手で計量装置に着脱されるものであっても、それに先立って必要な第２散薬収容器を調剤者が特定するのが容易になる。
【００２２】
さらに、本発明の散薬秤量システムにあっては（解決手段３）、第２散薬識別情報の機械読取による自動確認に加えて、画面表示を見た調剤者の目視確認も行われるようにしたことにより、確認の確度が高まるばかりか、例えば計量の順番を変えたいといった状況や散薬の変わり目で運搬容器を使い分けたいといった状況などにも柔軟に対処することができる。
【００２３】
また、本発明の散薬秤量システムにあっては（解決手段４）、自動計量中にその時々の計量値が画面表示されるため、調剤者が別の散薬の人手秤量を行っているときでも、調剤者は画面表示に目をやることで容易に自動計量の進み具合を知ることができる。
【００２４】
また、本発明の散薬秤量システムにあっては（解決手段５）、人手秤量によって得られた計量値も、自動計量によって得られた計量値も、情報処理装置によって調剤済みデータに含められるようにしたことにより、人手秤量と自動計量との混在する作業が行われても、得られたデータの管理や利用は統一的に行うことができる。
【００２５】
また、本発明の散薬秤量システムにあっては（解決手段６）、自動計量の対象として画面表示された第２散薬について人手秤量への切替を指示すると自動計量の対象から外されて第１散薬の如く人手秤量が行えるようにしたことにより、例えば第２散薬収容器の中の第２散薬が予想外に固まったりして自動調剤を避けたくなったときなどには簡便に自動調剤を回避して代わりに人手調剤を行うことができる。
【図面の簡単な説明】
【００２６】
【図１】本発明の実施例１について、散薬秤量システムの構成を示すブロック図である。
【図２】（ａ）が小規模な散薬秤量システムの外観図、（ｂ）が人手秤量用の第１散薬収容器である散薬瓶の正面図、（ｃ）が自動計量用の第２散薬収容器である散薬カセットの外観図、（ｄ）が前扉を開けて運搬容器のカップを置いた状態の計量装置に係る外観図、（ｅ）が前扉を閉めるとともに散薬カセットを載置して保持させた状態の計量装置に係る外観図である。
【図３】調剤指示選択画面の表示例である。
【図４】調剤指示情報画面の表示例である。
【図５】調剤指示情報画面の表示例である。
【図６】調剤指示情報画面の表示例である。
【図７】調剤指示情報画面の表示例である。
【図８】調剤指示情報画面の表示例である。
【図９】調剤指示情報画面の表示例である。
【図１０】調剤指示情報画面の表示例である。
【図１１】調剤指示情報画面の表示例である。
【図１２】調剤結果出力紙片の例である。
【図１３】調剤指示選択画面の表示例である。
【図１４】調剤指示情報画面の表示例である。
【図１５】（ａ）が自動計量から人手秤量へ変更中の調剤指示情報画面の表示例、（ｂ）が変更後の調剤指示情報画面の表示例である。
【発明を実施するための形態】
【００２７】
このような本発明の散薬秤量システムについて、これを実施するための具体的な形態を、以下の実施例１により説明する。
図１〜図１５に示した実施例１は、上述した解決手段１〜６（出願当初の請求項１〜６）を総て具現化したものである。
なお、それらの図示に際しては、簡明化等のため、フレームや，ボルト等の締結具，ヒンジ等の連結具，電動モータ等の駆動源，タイミングベルト等の伝動部材，モータドライバ等の電気回路，コントローラ等の電子回路などは図示を割愛し、発明の説明に必要なものや関連するものを中心に図示した。
【実施例１】
【００２８】
本発明の散薬秤量システムの実施例１について、その具体的な構成を、図面を引用して説明する。図１は、散薬秤量システム１０の構成を示すブロック図である。
また、図２は、（ａ）が散薬秤量システム１０と散薬分包機６との外観図であり、（ｂ）が人手秤量用の第１散薬収容器５０の典型例である散薬瓶の正面図であり、（ｃ）が自動計量用の第２散薬収容器６０の一例である散薬カセットの斜視図である。
さらに、図２（ｄ）及び（ｅ）は計量装置４０の斜視図であり、そのうち（ｄ）が前扉を開けて計量部４５に運搬容器７０の典型例のカップを置いた状態を示しており、（ｅ）が前扉を閉めるとともに第２散薬収容器６０を載置して保持させた状態を示している。
【００２９】
先ずハードウェア構成から説明すると（図１，図２（ａ）参照）、散薬秤量システム１０は、調剤管理ユニット２０と散薬調剤ユニット３０と計量装置４０とを備えている。
調剤管理ユニット２０と散薬調剤ユニット３０は離れていても一緒になっていても良いが、計量装置４０は散薬調剤ユニット３０と一緒か手の届く近傍に置かれる。
この散薬秤量システム１０は、小規模なので、調剤管理ユニット２０も散薬調剤ユニット３０も一台のものを図示したが、一台の調剤管理ユニット２０に複数の散薬調剤ユニット３０を組み合わせることや、複数台の調剤管理ユニット２０に多数の散薬調剤ユニット３０を組み合わせることも、場所や費用等の制約は別として技術的には可能である。
【００３０】
調剤管理ユニット２０は（図１参照）、共用の情報処理装置２１を主体としたものであって、ハードディスク等のデータ保持部に薬品マスタ２２と第１調剤用情報２３と第２調剤用情報２４と調剤指示情報２５とを保持するとともに、処方データ入力手段２６から処方箋に基づく処方データを入力するようになっている。
処方データ入力手段２６は、手入力用のキーボードやタッチパネル等からなるものでも良く、小型の処方箋読取装置などでも良い。規模の大きなシステムでは、処方データ入力手段２６に加えて又は代えて、処方データ送信手段４に接続し、その装置間通信機能にて外部の処方オーダエントリシステムから処方データを取得するようにしても良い。
【００３１】
情報処理装置２１は、デスクトップパソコンやノートパソコンといった一般的なコンピュータで良く、ここで共用と呼んだのは、後述の散薬調剤ユニット３０が複数化されたときには各ユニット３０，３０における個別の情報処理装置３１，３１と協働してデータの処理や各部材の制御を遂行するからである。逆に、より小規模な構成では、情報処理装置２１，３１の機能を統合したプログラムが単体のコンピュータからなる情報処理装置（２１＋３１）にインストールされて、必要な制御やデータ処理が単一コンピュータの情報処理装置（２１＋３１）によって遂行されるようにしても良い。
【００３２】
薬品マスタ２２は、散薬秤量システム１０で取り扱う可能性のある総ての薬品について種々の情報を格納したデータベースであり、例えば、薬品の名称や、識別情報、剤種、適用可能な調剤手法、特記事項などを、検索可能な態様でデータ保持している。特に、第１散薬収容器５０に収容されていて秤量装置３７を用いて人手秤量される散薬については該当する第１散薬識別情報５１や目視特定用情報５２のデータが薬品マスタ２２に保持される。また、第２散薬収容器６０に収容されていて計量装置４０を用いて自動計量しうる散薬については、該当する第２散薬識別情報６１や目視特定用情報６２のデータが薬品マスタ２２に保持されるとともに、該当する第２散薬収容器６０を収納しておく棚の位置が予め定められている場合にはその棚番号も薬品マスタ２２にデータ保持される。
【００３３】
第１調剤用情報２３は、人手秤量必須の散薬である第１散薬に係る情報であり、薬品マスタ２２に含める態様で保持されていても良いが、ここでは明記のため別枠で図示した。各種の第１散薬それぞれに固有の第１散薬識別情報が割り振られており、それらが、調剤管理のため第１調剤用情報２３にデータ保持されている。
また、それらの第１散薬識別情報は、人手秤量作業のために棚の右側部分等の所定箇所に置かれる第１散薬収容器５０のうち該当するものに（図２（ａ），（ｂ）参照）、バーコード等といった機械読取可能な第１散薬識別情報５１として付記されるとともに、目視で読み取れる数字や他の文字からなる目視特定用情報５２としても付記されている。
【００３４】
第２調剤用情報２４は（図１参照）、自動計量可能な散薬である第２散薬に係る情報であり、やはり薬品マスタ２２に含める態様で保持されていても良いが、ここでも明記のため別枠で図示した。各種の第２散薬それぞれに固有の第２散薬識別情報が割り振られており、それらが、調剤管理のため第２調剤用情報２４にデータ保持されている。
また、それらの第２散薬識別情報は、自動計量作業のため棚の左側部分等の所定箇所に置かれる第２散薬収容器６０のうち該当するものに（図２（ａ），（ｃ）参照）、無線利用のＲＦＩＤリーダ等を用いて非接触で機械読取できるＲＦＩＤタグ等で具現化された第２散薬識別情報６１として付記されるとともに、目視で読み取れる数字や他の文字からなる目視特定用情報６２としても記されている。
【００３５】
これらの情報２２，２３，２４は、調剤管理ユニット２０の通常稼動外のときなどに予め情報処理装置２１のデータベースに設定されるようになっている。
これに対し、調剤指示情報２５は、処方データから散薬秤量システム１０の取り扱い部分を抽出したものが大半であり、後述する調剤指示選択画面や調剤指示情報画面の表示項目に係るデータ等が保持されている。そして、情報処理装置２１は、処方データ入力手段２６等を介して処方データが情報処理装置２１に入力される度に、必要部分を抽出や整理して調剤指示情報２５を次々に作成し、待ち行列のように連ねてストックするとともに、調剤作業が完了すると該当情報２５をストックから取り除くようになっている。
【００３６】
散薬調剤ユニット３０は（図１，図２（ａ）参照）、小形のコンピュータからなり対応調剤指示情報３４や調剤済みデータ３５を内蔵ハードディスク等にデータ保持する情報処理装置３１と、その制御下等で動作する調剤指示入力手段３２と画面表示器３３と第１情報読取器３６と秤量装置３７と出力装置３８とを具備したものである。そのうち、出力装置３８は、チケットプリンタと呼ばれる小いさな卓上印刷器であり、散薬調剤結果を紙媒体に出力する。秤量装置３７は、秤量データを情報処理装置３１へ送出しうる電子天秤であり、上述の第１散薬収容器５０から散薬を手作業で取り出しながら取出量を量る人手秤量を行うのに用いられる。第１情報読取器３６は、バーコードリーダ等からなり、上述した第１散薬収容器５０に付された第１散薬識別情報５１の読み取りに用いられる。
【００３７】
画面表示器３３は、液晶パネル等の画面を具備していて、秤量装置３７の秤量値を含む各種の調剤情報を表示するのに用いられるものである。
調剤指示入力手段３２は、画面表示器３３に表示された選択項目や入力項目に対して適宜な指示や値を入力して情報処理装置３１へ送るのに用いられるものである。
この散薬調剤ユニット３０では、コンパクト化のため、上述した情報処理装置３１と調剤指示入力手段３２と画面表示器３３とが、タッチパネル兼用ディスプレイ等にて一体的に纏められている。
【００３８】
対応調剤指示情報３４は、調剤管理ユニット２０の保持する調剤指示情報２５のうち、散薬調剤ユニット３０での調剤対象に選出されて、調剤管理ユニット２０から散薬調剤ユニット３０へ複製転送されたデータである。
調剤済みデータ３５は、対応調剤指示情報３４のうち調剤作業の済んだ部分に係るデータを保持しており、対応調剤指示情報３４に追記する態様で保持しても良いが、ここでは明示のため別枠で図示した。例えば、対応調剤指示情報３４で指示された散薬のうち上述した散薬調剤ユニット３０の秤量装置３７を用いて人手秤量されたときの秤量値や、後で詳述する計量装置４０を用いて自動計量されたときの計量値が、含まれる。
【００３９】
計量装置４０は、散薬調剤ユニット３０に付設して用いられるものなので、上述したように散薬調剤ユニット３０の近くに設置される。ここでは、それらの設置先として、調剤作業台と監査台とを兼ねる机に対して第１散薬収容器５０及び第２散薬収容器６０を適宜区分けして保管するための棚を一体化したものを図示したが（図２（ａ）参照）、棚は別置きでも良い。机の下や中に空きがあれば、そこに調剤管理ユニット２０を収納しても良い。散薬分包機６は、大きい装置なので、上記の机とは別個に設置されており、出力装置３８で印刷したチケットを用いれば散薬分包機６をオフラインで使用することが可能であるが、散薬調剤ユニット３０を介して分包情報をダウンロードするようにしても良い。
【００４０】
本例の計量装置４０は（図１，図２（ｄ），（ｅ）参照）、コントローラ４１と容器保持部４２と第２情報読取器４３と計量部４４，４５とを具備している。
コントローラ４１は、マイクロプロセッサ等からなり、所定のプログラムを実行することにより、第２情報読取器４３から読み取り情報を入力することに加えて、計量部４４，４５の動作を制御するとともにその計量値を入力することも行うようになっている。
容器保持部４２は、第２散薬収容器６０を手に持って容易に着脱できるように上板の中央部分を凹ませて形成されている。計量部４４，４５が手前側にあるので、第２散薬収容器６０は開口側を手前にして計量部４４に載せ置くようになっている。図示のものは第２散薬収容器６０を一個しか置けないようになっているが、複数載置可能にしても良い。
【００４１】
第２情報読取器４３は、第２散薬収容器６０に付記された第２散薬識別情報６１がＲＦＩＤタグ等で具体化されていることに対応して、その第２散薬識別情報６１を読み取り可能なＲＦＩＤリーダ等が採用されている。しかも、第２情報読取器４３は、容器保持部４２のうちＲＦＩＤで無線通信可能な適宜部位に設置されている。そして、第２情報読取器４３は、容器保持部４２に第２散薬収容器６０が適切な姿勢で載置されると、それに付されている第２散薬識別情報６１を読み取るようになっている。
【００４２】
計量部４４は、撮像装置等を具備していて、第２散薬収容器６０から少しずつ排出された散薬を落下中に撮影等して落下散薬の量を計測するものであり、計量部４５は、電子天秤等を具備していて、そこに置かれた運搬容器７０の重量の初期値と増分とから運搬容器７０に収容された散薬量を計測するものであり、それらの計測値と予測制御とにて測定精度の向上とを図ったものである（例えば特開２０１８−１１９７４号公報を参照）。
このような計量部４４，４５を具備した計量装置４０は、容器保持部４２に置かれた第２散薬収容器６０から第２散薬を排出させて自動計量するものとなっている。
【００４３】
このようなハードウェア構成に基づいて、散薬秤量システム１０は、情報処理装置２１＋３１のソフトウェアにより、以下のような処理も行うようになっている。
すなわち、処方データ入力手段２６等を介して取得した処方データに処方対象として人手秤量用の第１散薬が含まれていると、その第１散薬を含む調剤指示情報２５を薬品マスタ２２や第１調剤用情報２３に基づいて作成するとともに、その調剤指示情報２５が散薬調剤ユニット３０の調剤対象に選出されると、その第１散薬に係る第１調剤用情報２３等の複製等にて対応する対応調剤指示情報３４を作成し、その内容を画面表示器３３に表示するようになっている。
【００４４】
それから、調剤対象の第１散薬を収容した第１散薬収容器５０から第１散薬識別情報５１が第１情報読取器３６を用いて読み取られると、該当する第１散薬の画面表示部分を色変更等にて明示するようになっている。
そして、その後は、秤量装置３７から秤量値を取得して画面表示器３３に表示することも行うが、その際、人手秤量は一般に時間が掛かるため、更には秤量の進み具合を画面でも確認できるようにするために、秤量値の取得と表示は随時行うようになっている。
秤量完了時には、そのときの秤量値を調剤対象の第１散薬に係る実測値として調剤済みデータ３５の該当箇所に含めるようにもなっている。
【００４５】
また、処方データ入力手段２６等を介して取得した処方データに処方対象として自動軽量の第２散薬が含まれていると、その第２散薬を含む調剤指示情報２５を薬品マスタ２２や第２調剤用情報２４に基づいて作成するとともに、その調剤指示情報２５が散薬調剤ユニット３０の調剤対象に選出されると、その第２散薬に係る第２調剤用情報２４等の複製等にて対応する対応調剤指示情報３４を作成し、その内容を画面表示器３３に表示するようになっている。その際、第２散薬収容器６０を目視で特定することができる情報として、目視特定用情報６２と同じ情報か（図２（ｃ）では薬品名やコード「００９８」）、代用可能な情報である例えば第２散薬収容器６０載置先の棚番号か、あるいは両方を、画面表示器３３に表示するようにもなっている。
【００４６】
それから、調剤対象の第２散薬を収容した第２散薬収容器６０から第２散薬識別情報６１が第２情報読取器４３によって読み取られると、その読み取り後に計量部４４，４５の動作指示を計量装置４０へ出すに先だって画面表示器３３に確認を求める表示を行い、肯定的な確認が得られたら、計量装置４０のコントローラ４１に対して計量部４４，４５の動作開始を指示する。計量装置４０に計量部４４，４５の動作指示を出した後には計量装置４０から計量値を取得して画面表示器３３に表示することも行う。計量完了時には、そのときの計量値を調剤対象の第２散薬に係る実測値として調剤済みデータ３５の該当箇所に含めるようにもなっている。
【００４７】
さらに、第２散薬については、第２散薬収容器６０に収容されているだけでなく第１散薬収容器５０にも収容されている場合は第１散薬収容器５０の方を使用することにより、ほとんどのものが第１散薬と同様に秤量装置３７で秤量することも可能なので、それらのうち自動計量に拘らないで人手秤量でも良いとするものには、計量装置４０での自動計量から秤量装置３７での人手秤量への切替指示を受付可能なものであることを例えば第２調剤用情報２４のフラグ設定等にて指定できるようになっている。
【００４８】
そして、調剤対象になっていて画面表示器３３に表示している対応調剤指示情報３４のうち第２散薬に係るものについては、計量装置４０での計量から秤量装置３７での秤量への切替指示を受け付けると、該当する第２散薬に係る画面表示内容を第１散薬に係る画面表示内容と同様のものに変更する。そして、その後は、恰も第１散薬の如く秤量装置３７を用いて秤量したときには対応するデータ更新や画面表示を遂行するが、計量装置４０を用いて計量しようとすると誤操作やエラーとして扱い計量処理を行わないようにもなっている。
【００４９】
なお、自動計量から人手秤量への切替指示は、画面表示器３３の画面表示に係る調剤指示入力手段３２の操作等によって情報処理装置３１に入力される他、第２散薬を収容している第１散薬収容器５０に付されている第１散薬識別情報５１を第１情報読取器３６で読み取る操作によっても情報処理装置３１に入力されるようになっている。
第２散薬収容器６０やその中の散薬が計量装置４０での散薬自動排出に加えて手作業での散薬取出も許容しているものであって更に第２散薬識別情報６１だけでなく第１散薬識別情報５１も付されているような場合も、その第１散薬識別情報５１を第１情報読取器３６で読み取る操作にて、情報処理装置３１に上記の切替指示を出すことができる。
【００５０】
この実施例１の散薬秤量システム１０について、その使用態様及び動作を、画面表示器３３の表示例を示した図面を引用して説明する。
【００５１】
図３〜図１３は、調剤指示情報２５から一つ選択された対応調剤指示情報３４に係る一連のものであり、そのうち図３は、調剤指示選択画面の表示例であり、図４〜図１１は、調剤指示情報画面の表示例であり、図１２は、調剤結果出力紙片（チケット）の印刷例であり、図１３は、調剤指示情報画面の表示例である。
また、図１４は、調剤指示選択画面の表示例である。さらに、図１５は、（ａ）が自動計量から人手秤量へ変更中の調剤指示情報画面の表示例であり、（ｂ）が変更後の調剤指示情報画面の表示例である。
【００５２】
幾つかの処方データが処方データ入力手段２６等から調剤管理ユニット２０に入力されたとして、さらに、そのうち五人の患者の処方データの中に、散薬秤量システム１０で調剤しうる散薬が含まれていたとする。そうすると、それに応じて、散薬調剤ユニット３０で処理しうる調剤指示情報２５が五つほど調剤管理ユニット２０において作成される。
その状態で、調剤者が散薬調剤ユニット３０を起動させると、画面表示器３３に「調剤指示選択画面」が表示される（図３参照）。その画面には、常に表示される調剤者名や設定欄などの共通項目に加えて、上述した五人の患者情報が一覧表示される。夫々の患者情報には、受付番号や，患者氏名，受付日時，引換券番号，診療科などが含まれる。
【００５３】
その中から調剤者が調剤指示入力手段３２にて適宜な患者情報を選択すると、散薬調剤ユニット３０によって、その選択に対応した調剤指示情報２５が複製されて対応調剤指示情報３４とされ、更にその情報３４に基づく「調剤指示情報画面」が画面表示器３３に表示される（図４参照）。
その画面には、選択された一人の患者情報に係る選択患者情報が表示されるとともに（図４の例では左端の欄を参照）、その患者に処方された散薬に係る調剤内容が画面表示器３３に一覧表示される（図の例では中央の欄を参照）。計量作業を促す案内などが有ればそれも画面表示器３３に表示される（図４の例では下端の欄を参照）。
【００５４】
その患者に処方された散薬が例えば「何々細粒１％」と「何とか散２％」と「何々顆粒３％」との三種類であるとすると、その一覧表示では（図４の例では中央の欄を参照）、「状態」や、「棚番号」、「カセット」、「薬品名」、「一日量」、「目標値」、「実測値」といった項目名が横に並べて表示されるとともに、それぞれの下に夫々の散薬に関する項目値が一行ずつ表示される。例えば「何々細粒１％」の場合、「状態」の項目値は調剤完了前は空白であるが調剤完了後は「済」にされ、「棚番号」の項目値は人手秤量のものは空白であるが自動計量のものは「Ａ−１１」等の棚番号にされ、「カセット」の項目値は人手秤量のものは空白であるが自動計量のものは「００９８」といった第２散薬識別情報６１対応の目視特定用情報６２の値にされ、「薬品名」の項目値は何れも該当する薬品名の文字列にされ、「一日量」の項目値は何れも一日当たりの処方量にされ、「目標値」の項目値は総処方量にされ、「実測値」の項目値は初期状態では空白にされる。
【００５５】
そのような表示が画面表示器３３になされているときに（図４参照）、例えば人手秤量用の「何々顆粒３％」を収容した第１散薬収容器５０を手にしてその第１散薬識別情報５１を第１情報読取器３６に読み取らせると、情報処理装置２１＋３１によって、対応調剤指示情報３４のデータ検索等が行われて、散薬「何々顆粒３％」が現在の人手秤量対象にされたことが確認され、人手秤量対象を明らかにする画面表示がなされる（図５参照）。具体的には、例えば人手秤量対象の散薬「何々顆粒３％」の表示行の色が赤く変更されるとともに（図５では対象散薬に係る表示行に散点を付して強調表示）、人手秤量対象の散薬「何々顆粒３％」の目標値に加えて許容誤差等を明瞭に示す表示が追加されたり、自動計量が並行して行えることを案内する表示も行われる（図５の例では下端の欄など）。
【００５６】
そして、それらの表示参照なども行って散薬「何々顆粒３％」を対象にして調剤者が秤量装置３７を用いて手作業にて秤量を行うのであるが、その人手秤量の実作業を開始する前であれ後であれ任意の時期に他の散薬の自動計量を始めることが可能なので、例えば散薬「何とか散２％」も並行して自動計量させることとする。
この場合、調剤者は、人手秤量の手作業を一時的に止めて、その代わりに散薬「何とか散２％」を収容している第２散薬収容器６０を手作業にて計量装置４０の容器保持部４２へ適正な姿勢で載置すれば良い。
【００５７】
そうすると、計量装置４０の前扉が閉められていることや、計量装置４０の計量部４５に運搬容器７０が置かれていることが、適宜なセンサや重量測定を用いて計量装置４０によって自動確認される。そして、計量装置４０が自動計量を始める準備が整うと、それに応じた情報処理装置２１＋３１によって、自動計量開始の確認を求める表示が画面表示器３３に出される。例えば（図６参照）、「何とか散２％  自動計量を開始しますか？」といったメッセージが表示されるので、自動計量を開始するときは「はい」を選択操作し、自動計量を開始しないときは「いいえ」を選択操作する。
【００５８】
ここでは「はい」を選択操作したものとする。そうすると、計量装置４０による散薬「何とか散２％」の自動計量が始まり、その時々の計量値が画面表示器３３の該当項目欄に随時表示されるので（図７における該当散薬の実測値欄の「１３．８ｇ」を参照）、自動計量の進み具合を容易に確認することができる。
また、自動計量が進行中であることを明らかにする画面表示もなされ、例えば上記の該当項目だけが赤色に変更される（図７では該当箇所に散点を付して強調表示）。
その自動計量の開始後は、調剤者は、散薬「何とか散２％」の調剤作業から解放されるので、散薬「何々顆粒３％」の人手調剤の作業を再開して続行することができる。
【００５９】
そして、その人手調剤が完了すると、該当する散薬「何々顆粒３％」の秤量完了を明らかにする画面表示がなされる（図７参照）。例えば、人手秤量対象の散薬「何々顆粒３％」の表示行の色が例えば水色に変更されるとともに、人手秤量対象の散薬「何々顆粒３％」の最終実測値や完了状態が表示される（図７における該当散薬に係る実測値欄の「４５ｇ」や状態欄の「済」を参照）。ここで、人手調剤の完了は、秤量装置３７の測定値データを入力した情報処理装置２１＋３１が目標値と比較することで自動的に行える他、秤量装置３７の測定値表示等に基づいて人手調剤の完了を知った調剤者が調剤指示入力手段３２の操作等にて情報処理装置２１＋３１に指示することでも行える。
【００６０】
そうこうするうちに、計量装置４０による散薬「何とか散２％」の自動計量が完了すると、そのことが情報処理装置２１＋３１によって自動検出され、該当する散薬「何とか散２％」の計量完了を明らかにする画面表示がなされる（図８参照）。具体的には、自動計量対象の散薬「何とか散２％」の表示行の色が例えば水色に変更されるとともに、自動計量対象の散薬「何とか散２％」の最終実測値や完了状態が表示される（図８における該当散薬に係る実測値欄の「４４．９ｇ」や状態欄の「済」を参照）。それを見て散薬「何とか散２％」の自動計量の完了を確認した調剤者は、計量装置４０から散薬「何とか散２％」の第２散薬収容器６０を取り外して、運搬容器７０の交換が必要であればそれも行い、残っている散薬「何々細粒１％」を自動計量させる。
【００６１】
繰り返しとなる煩雑な説明を避けて簡潔に述べると、調剤者は散薬「何々細粒１％」を収容している第２散薬収容器６０を手作業にて計量装置４０の容器保持部４２へ適正な姿勢で載置する。すると、その第２散薬識別情報６１の自動読取に応じて自動計量開始の確認を求める表示が出されるので（図９参照）、自動計量を開始する選択操作を行う。
そうすると、計量装置４０による散薬「何々細粒１％」の自動計量が始まり、後は自動で、画面表示器３３の該当項目欄の色が変更されるとともに計量値が随時表示される（図１０における該当散薬の実測値欄の「１２．９ｇ」を参照）。
【００６２】
そして、計量装置４０による散薬「何々細粒１％」の自動計量が完了すると、その計量完了を明らかにする画面表示がなされる（図１１参照）。
具体的には、該当する表示行の色が水色に変更され、その行の該当項目が更新される（図１１における該当散薬に係る実測値欄の「４４．９ｇ」や状態欄の「済」を参照）。
さらに、図示は割愛したが、対応調剤指示情報３４で指示された総ての散薬の調剤が済んだことの通知や、計量装置４０から運搬容器７０の取出を促す案内なども、画面表示器３３の画面に表示される。
【００６３】
こうして、調剤対象になった三種類の散薬に係る調剤作業が総て完了するので、情報処理装置２１＋３１によって取得データ等が適宜整理されてデータベース等に格納保存されるとともに、散薬調剤結果を目視可能に示すチケット（散薬調剤結果出力紙片）が出力装置３８にて印刷され出力される。このチケットは、調剤者による調剤作業の再確認や、監査者による最終監査などに役立つ。そのチケットでは（図１２参照）、各散薬について、目視確認の容易のため、調剤が自動計量でなされたものには例えば「（自）」マークが付記され、調剤が人手秤量でなされたものには例えば「（手）」マークが付記される。また、そのチケットには、該当する散薬調剤を特定するための識別コードも機械読取可能なバーコード等で印刷されているので、何時でも簡便に所望情報を識別コード機械読取やデータベース検索などで取得したり利用することができる。
【００６４】
散薬調剤対象にされた患者一人分の調剤が終わると、設定により自動で又は調剤指示入力手段３２等での指示に応じて、画面表示器３３の表示が「調剤指示選択画面」に戻る（図１３参照）。その画面では、散薬調剤の済んだ患者の情報が表示されなくなって、残りの四人の患者情報が一覧表示されるので、他の患者に係る散薬調剤も行うときには、上述した作業を必要なだけ繰り返せば良い。そして、調剤後の散薬は、それを収容している運搬容器７０と該当するチケットとともに、セットで運ばれ、監査後に、散薬分包機６に投入される。その際、該当チケットのバーコード読取等によって、散薬秤量システム１０から散薬分包機６へ或いは処方データ送信４から散薬分包機６へ、分包に必要な情報がダウンロードされるので、簡便かつ的確に分包がなされる。
【００６５】
以上は、散薬の人手秤量と自動計量とがスムーズに進行したときの動作を説明したものであるが、円滑には進行できなかった幾つかの場合についても説明する。
先ず、計量装置４０の容器保持部４２に第２散薬収容器６０を置いたときに、計量装置４０の計量部４５に運搬容器７０が置かれていないことが検出されると、「計量カップがセットされていません。計量カップを確認してから計量を再開して下さい。」といった確認メッセージが画面表示器３３に表示される（図１４参照）。それに対して、調剤指示入力手段３２を操作して、例えば、「いいえ」を選択すると自動計量が打ち切られ、運搬容器７０をセットして前扉を閉めてから「はい」を選択すると自動計量が実行される。
【００６６】
また、図示は割愛したが、運搬容器７０がセットされていても計量装置４０の前扉が開いたままであれば、その前扉を閉めるのを促す確認メッセージが画面表示される。
さらに、やはり図示は割愛したが、計量装置４０に装着中の第２散薬収容器６０が自動計量の途中で空になってしまったときには、第２散薬収容器６０への散薬補充を促す確認メッセージが画面表示されるとともに、散薬補充後の第２散薬収容器６０の再装着を待って自動計量が再開される。
【００６７】
また（図１５参照）、画面表示器３３に調剤指示情報画面が表示されているときに、自動計量の対象になっている散薬のうち未だ自動計量が始められていないものについては、自動計量の対象から人手秤量の対象に変更することもできるようになっている。
人手秤量よりも自動計量の方が一般に素早く精度良く行えるので、通常は自動計量が好まれるが、対象になった第２散薬収容器６０を手にしたときに第２散薬収容器６０の中の散薬に予期しない異常たとえば湿気による不所望な凝固などが見つかったような場合でも、代わりの第１散薬収容器５０を用いて必要な調剤を行えるようにするためである。
【００６８】
そのような場合、該当する散薬の例えば「何々細粒１％」について、状態欄も実測値欄も空白で未だ自動計量が始められていないことを「調剤指示情報画面」の表示で確認してから、調剤指示入力手段３２の操作にて人手秤量への変更を指示すると、「何々細粒１％を自動計量から人手秤量に変えますか？」といった確認メッセージが画面表示器３３に表示される（図１５（ａ）参照）。
そこで「はい」を選択すると、情報処理装置２１＋３１によって散薬「何々細粒１％」が人手秤量の対象とされるとともに、該当表示行の棚番号欄とカセット欄とが人手秤量向け表示の空白になるため（図１５（ｂ）参照）、その変更を調剤者が目視で容易に確認することができるので、後は上述した手順で人手秤量を遂行すれば良い。
【００６９】
［その他］
上記実施例の散薬秤量システム１０には計量装置４０が一台しか装備されていなかったが、机上などに設備追加の余裕が有れば計量装置４０を増設して複数の自動計量までも並行処理できるようにしても良い。
上記実施例では、調剤指示情報２５のうち調剤の対象に選出されたものが複製されて対応調剤指示情報３４が作成されるようになっていたが、この複製は必須でなく、例えば適宜なポインタ等にて何れの調剤指示情報２５が対応調剤指示情報であるかが判明するようになっていても良い。
【００７０】
上記実施例では、秤量装置３７を用いた人手秤量については秤量途中の実測値が画面に表示されるようになっていなかったが、秤量装置３７の測定データを情報処理装置３１へ随時送信するのが可能なハードウェア構成になっているので、秤量装置３７を用いた人手秤量についても秤量途中の実測値を画面に表示して随時更新するようにしても良い。また、自動計量は、人手秤量より速いため、更には人手秤量中の秤量値表示と紛らわしくなるのを回避するため、逆に、計量値の表示更新を計量完了まで控えるようにしても良い。
【００７１】
上記実施例では、自動計量から人手秤量への切替が行われたときに、該当散薬の画面表示において棚番号やカセット番号の表示が空白に変わったが、これは必須ではない。切替は調剤者が認識して行うことなので上記表示が上記切替では変わらないままにしても良い。あるいは第１散薬識別情報５１の読取による切替では変わるが第２散薬識別情報６１の読取を伴った切替では変わらない、といったように場合分けしても良い。
上記実施例では、散薬分包機６が散薬調剤ユニット３０に対してオンライン接続可能なものになっていたが、散薬分包機６がオフラインであっても、散薬調剤ユニット３０は不都合なく動作し使用することができる。
【符号の説明】
【００７２】
４…処方データ送信（上位システム）、６…散薬分包機、
１０…散薬秤量システム、２１＋３１…情報処理装置、
２０…調剤管理ユニット、
２１…情報処理装置（共用）、２２…薬品マスタ、２３…第１調剤用情報、
２４…第２調剤用情報、２５…調剤指示情報、２６…処方データ入力手段、
３０…散薬調剤ユニット、
３１…情報処理装置（個別）、３２…調剤指示入力手段、
３３…画面表示器（タッチパネルディスプレイ）、
３４…対応調剤指示情報、３５…調剤済みデータ、
３６…第１情報読取器（バーコードリーダ）、３７…秤量装置（電子天秤）、
３８…出力装置（散薬調剤結果出力，チケットプリンタ）、
４０…計量装置、
４１…コントローラ、４２…容器保持部、
４３…第２情報読取器（ＲＦＩＤリーダ，無線読取器，非接触読取器）、
４４…計量部（落下量測定）、４５…計量部（重量測定，容器検出部）、
５０…第１散薬収容器（人手秤量の散薬を収容した散薬瓶）、
５１…第１散薬識別情報（バーコード）、５２…目視特定用情報（文字，数字）、
６０…第２散薬収容器（自動計量用の散薬を収容した散薬カセット）、
６１…第２散薬識別情報（ＲＦＩＤタグ，無線タグ，非接触タグ）、
６２…目視特定用情報（文字，数字）、７０…運搬容器（カップ）
【図１】
2020124441.tif 000003
【図２】
2020124441.tif 000004
【図３】
2020124441.tif 000005
【図４】
2020124441.tif 000006
【図５】
2020124441.tif 000007
【図６】
2020124441.tif 000008
【図７】
2020124441.tif 000009
【図８】
2020124441.tif 000010
【図９】
2020124441.tif 000011
【図１０】
2020124441.tif 000012
【図１１】
2020124441.tif 000013
【図１２】
2020124441.tif 000014
【図１３】
2020124441.tif 000015
【図１４】
2020124441.tif 000016
【図１５】
2020124441.tif 000017